(57)【要約】【課題】プレゼンテーションの円滑な進行を妨げることなく、受講者もプレゼンテーションに参加することを可能にする。【解決手段】プロジェクタは、このプレゼンテーションシステムに属する全てのパソコンに無線接続し（ＳＣ１）、ＳＣ２で受信した投影データを出力して投影を実行する（ＳＣ５）。ＩＤとともに送信されるキーコマンドを受信することにより、ＳＣ６からＳＣ７に進み、受信したＩＤが、受講者のパソコンであるか否かを判断する（ＳＣ７）。受講者のパソコンである場合には、講演者のパソコンにＳＣ６で受信したキーコマンドを送信する。講演者のパソコンは、現在投影に用いているアプリケーション上で、受信したキーコマンドに対応するキーイベントを実行する。このキーイベントが実行された投影データがＳＣ２で受信され、この受信した投影データをＳＣ５で投影される。【選択図】図７
2010271431.tif 000002
【特許請求の範囲】
【請求項１】
表示装置、及びこの表示装置と通信可能に接続された複数の端末装置で構成される表示システムであって、  前記複数の端末装置は、前記表示装置に表示情報を送信するとともに当該表示情報に基づく前記表示装置の映像表示状態を制御可能な所定の端末装置と、当該映像表示状態を制御する制御情報を送信する他の端末装置とで構成され、
前記表示装置は、前記各端末装置より送信される前記表示情報と前記制御情報とを受信する受信手段と、
この受信手段により受信した前記表示情報に基づく映像を表示する表示手段と、
前記受信手段により受信した前記制御情報に基づいて前記表示手段の映像表示状態を制御する制御手段と
を備えることを特徴とする表示システム。
【請求項２】
表示装置、及びこの表示装置と通信可能に接続された複数の端末装置で構成される表示システムであって、
前記複数の端末装置は、前記表示装置に表示情報を送信するとともに当該表示情報に基づく前記表示装置の映像表示状態を制御可能な所定の端末装置と、当該映像表示状態を制御する制御情報を前記所定の端末装置へ送信する他の任意の端末装置とで構成され、
前記所定の端末装置は、前記他の任意の端末装置より送信される前記制御情報を受信する受信手段と、
この受信手段により受信した前記表示情報に基づいて前記表示情報を制御する制御手段と、
前記制御手段により制御された前記表示手段を前記表示装置に送信する送信手段と、
を備えることを特徴とする表示システム。
【請求項３】
前記表示装置は、前記表示情報に基づき画像を投影表示する投影装置であることを特徴とする請求項１又は２記載の表示システム。
【請求項４】
前記表示装置は、前記受信手段により受信された前記他の端末装置からの制御情報を前記所定の端末装置に転送する転送手段を備え、
前記所定の端末装置は、前記表示装置の転送手段から転送された制御情報に基づき前記表示情報を制御して、前記表示装置に送信することを特徴とする請求項１又は３記載の表示システム。
【請求項５】
前記表示装置は、前記複数の端末装置から前記所定の端末装置を選択して設定する設定手段を備えることを特徴とする請求項１、から４にいずれか記載の表示システム。
【請求項６】
前記表示装置の表示手段は、前記所定の端末装置を示す端末情報を更に表示することを特徴とする請求項１から５にいずれか記載の表示システム。
【請求項７】
前記制御情報は、前記表示手段が表示している情報をスクロールさせるスクロール制御情報であることを特徴とする請求項１から６にいずれか記載の表示システム。
【請求項８】
前記制御情報は、前記表示手段が前記表示情報とともに表示しているカーソルを移動させるカーソル制御情報であることを特徴とする請求項１から６にいずれか記載の表示システム。
【請求項９】
前記制御情報は、前記表示手段が表示している情報中に前記端末装置にて入力された文字を加入表示させる文字制御情報であることを特徴とする請求項１から６にいずれか記載の表示システム。
【請求項１０】
前記制御情報は、前記表示手段が表示している情報をページ移動するページ移動制御情報であることを特徴とする請求項１から６にいずれか記載の表示システム。
【請求項１１】
表示装置、及びこの表示装置と通信可能に接続された複数の端末装置で構成されるとともに、前記複数の端末装置は、前記表示装置に表示情報を送信するとともに当該表示情報に基づく前記表示装置の映像表示状態を制御可能な所定の端末装置と、当該映像表示状態を制御する制御情報を送信する他の端末装置とで構成される表示システムにおける前記表示装置であって、
前記各端末装置より送信される前記表示情報と前記制御情報とを受信する受信手段と、
この受信手段により受信した前記表示情報に基づく映像を表示する表示手段と、
前記受信手段により受信した前記制御情報に基づいて、前記表示手段の映像表示状態を制御する制御手段と
を備えることを特徴とする表示装置。
【請求項１２】
表示装置、及びこの表示装置と通信可能に接続された複数の端末装置で構成されるとともに、前記複数の端末装置は、前記表示装置に表示情報を送信するとともに当該表示情報に基づく前記表示装置の映像表示状態を制御可能な所定の端末装置と、当該映像表示状態を制御する制御情報を送信する他の端末装置とで構成される表示システムにおける前記表示装置が有するコンピュータを、
前記各端末装置より送信される前記表示情報と前記制御情報とを受信する受信手段と、
この受信手段により受信した前記表示情報に基づく映像を表示する表示手段と、
前記受信手段により受信した前記制御情報に基づいて、前記表示手段の映像表示状態を制御する制御手段と
して機能させることを特徴とする表示制御プログラム。
【発明の詳細な説明】
【技術分野】
【０００１】
本発明は、表示装置、及びこの表示装置と通信可能に接続された複数の端末装置とで構成される表示システム、この表示システムを構成する前記表示装置に関する。
【背景技術】
【０００２】
従来、プレゼンテーションシステムと称される表示システムが提案されている。このシステムは、講演用スクリーンとこのスクリーンの表示を制御するコンピュータ、及びこのコンピュータに無線接続された複数のモバイル情報端末とで構成されている。前記コンピュータは、スクリーンに講演用の画像を表示させるとともに、各モバイル情報端末に対応する複数のカーソルを表示させる。
【０００３】
前記複数のモバイル情報端末のいずれか一つは講演者により操作され、他のモバイル情報端末は受講者により操作される。したがって、スクリーンには画像とともに一つの講演者カーソルと複数の受講者カーソルとが表示され、講演者はモバイル情報端末によりスクリーン上で講演者カーソルを移動させつつプレゼンテーションを行うことができる。一方、受講者はモバイル情報端末によりスクリーン上で受講者カーソルを移動させつつ質問を行うことができ、これにより受講者もプレゼンテーションに参加することができる。
【先行技術文献】
【特許文献】
【０００４】
【特許文献１】特開２００４−１３９３６５号公報
【発明の概要】
【発明が解決しようとする課題】
【０００５】
しかしながら、従来の表示システムにあっては、スクリーン上に講演者及び各受講者に対応する複数のカーソルを表示させるとともに、これら複数のカーソルを講演者及び各受講者によるモバイル情報端末での操作に応じて、自由に移動表示させる。したがって、スクリーン上で複数の受講者が、対応する複数のカーソルが自由に移動することにより、プレゼンテーションに用いている画像の秩序が乱されてしまう。このため、受講者もプレゼンテーションに関与することができるというメリット、つまり受講者参加型のプレゼンテーションが実現できる反面、表示画像の秩序が乱されることに起因してプレゼンテーションの円滑な進行が妨げられてしまうデメリットが生ずる。さらに、上記従来の表示システムにあっては、各受講者はそれぞれに対応したカーソルの移動を行うことができるものの、プレゼンテーションの表示内容についての操作、例えばスクロールやページ移動や文字記入などの操作は講演者によって操作される端末でのみ制御可能であり、受講者は自らが操作する端末から制御することはできない。したがって受講者が行えるのはカーソル移動のみであり、講演者に比して積極的に参加できているとは言えないプレゼンテーションになってしまっていた。
【０００６】
本発明は、かかる従来の課題に鑑みてなされたものであり、プレゼンテーションの円滑な進行を妨げることなく、受講者もプレゼンテーションに参加することができる表示システム及び表示装置を提供することを目的とする。
【課題を解決するための手段】
【０００７】
前記課題を解決するため請求項１記載の発明に係る表示システムにあっては、表示装置、及びこの表示装置と通信可能に接続された複数の端末装置で構成される表示システムであって、前記複数の端末装置は、前記表示装置に表示情報を送信するとともに当該表示情報に基づく前記表示装置の映像表示状態を制御可能な所定の端末装置と、当該映像表示状態を制御する制御情報を送信する他の端末装置とで構成され、前記表示装置は、前記各端末装置より送信される前記表示情報と前記制御情報とを受信する受信手段と、この受信手段により受信した前記表示情報に基づく映像を表示する表示手段と、前記受信手段により受信した前記制御情報に基づいて前記表示手段の映像表示状態を制御する制御手段とを備えることを特徴とする。
【０００８】
また、請求項２記載の発明に係る表示システムにあっては、表示装置、及びこの表示装置と通信可能に接続された複数の端末装置で構成される表示システムであって、前記複数の端末装置は、前記表示装置に表示情報を送信するとともに当該表示情報に基づく前記表示装置の映像表示状態を制御可能な所定の端末装置と、当該映像表示状態を制御する制御情報を前記所定の端末装置へ送信する他の任意の端末装置とで構成され、前記所定の端末装置は、前記他の任意の端末装置より送信される前記制御情報を受信する受信手段と、この受信手段により受信した前記表示情報に基づいて前記表示情報を制御する制御手段と、前記制御手段により制御された前記表示手段を前記表示装置に送信する送信手段と、を備えることを特徴とする。
【０００９】
また、請求項３記載の発明に係る表示システムにあっては、前記表示装置は、前記表示情報に基づき画像を投影表示する投影装置であることを特徴とする。
【００１０】
また、請求項４記載の発明に係る表示システムにあっては、前記表示装置は、前記受信手段により受信された前記他の端末装置からの制御情報を前記所定の端末装置に転送する転送手段を備え、前記所定の端末装置は、前記表示装置の転送手段から転送された制御情報に基づき前記表示情報を制御して、前記表示装置に送信することを特徴とする。
【００１１】
また、請求項５記載の発明に係る表示システムにあっては、前記表示装置は、前記複数の端末装置から前記所定の端末装置を選択して設定する設定手段を備えることを特徴とする。
【００１２】
また、請求項６記載の発明に係る表示システムにあっては、前記表示装置の表示手段は、前記所定の端末装置を示す端末情報を更に表示することを特徴とする。
【００１３】
また、請求項７記載の発明に係る表示システムにあっては、前記制御情報は、前記表示手段が表示している情報をスクロールさせるスクロール制御情報であることを特徴とする。
【００１４】
また、請求項８記載の発明に係る表示システムにあっては、前記制御情報は、前記表示手段が前記表示情報とともに表示しているカーソルを移動させるカーソル制御情報であることを特徴とする。
【００１５】
また、請求項９記載の発明に係る表示システムにあっては、前記制御情報は、前記表示手段が表示している情報中に前記端末装置にて入力された文字を加入表示させる文字制御情報であることを特徴とする。
【００１６】
また、請求項１０記載の発明に係る表示システムにあっては、前記制御情報は、前記表示手段が表示している情報をページ移動するページ移動制御情報であることを特徴とする。
【００１７】
また、請求項１１記載の発明に係る表示装置にあっては、表示装置、及びこの表示装置と通信可能に接続された複数の端末装置で構成されるとともに、前記複数の端末装置は、前記表示装置に表示情報を送信するとともに当該表示情報に基づく前記表示装置の映像表示状態を制御可能な所定の端末装置と、当該映像表示状態を制御する制御情報を送信する他の端末装置とで構成される表示システムにおける前記表示装置であって、前記各端末装置より送信される前記表示情報と前記制御情報とを受信する受信手段と、この受信手段により受信した前記表示情報に基づく映像を表示する表示手段と、前記受信手段により受信した前記制御情報に基づいて、前記表示手段の映像表示状態を制御する制御手段とを備えることを特徴とする。
【００１８】
また、請求項１２記載の発明に係る表示制御プログラムにあっては、表示装置、及びこの表示装置と通信可能に接続された複数の端末装置で構成されるとともに、前記複数の端末装置は、前記表示装置に表示情報を送信するとともに当該表示情報に基づく前記表示装置の映像表示状態を制御可能な所定の端末装置と、当該映像表示状態を制御する制御情報を送信する他の端末装置とで構成される表示システムにおける前記表示装置が有するコンピュータを、前記各端末装置より送信される前記表示情報と前記制御情報とを受信する受信手段と、この受信手段により受信した前記表示情報に基づく映像を表示する表示手段と、前記受信手段により受信した前記制御情報に基づいて、前記表示手段の映像表示状態を制御する制御手段として機能させることを特徴とする。
【発明の効果】
【００１９】
本発明によれば、プレゼンテーションの円滑な進行を妨げることなく、受講者もプレゼンテーションに関与することのできる受講者参加型のプレゼンテーションを実現することができる。よって、講演者のみならず受講者にとって満足度の高いプレゼンテーションを提供することが可能となる。
【図面の簡単な説明】
【００２０】
【図１】本発明の一実施の形態に係るプレゼンテーションシステムの構成を示すブロック図である。
【図２】プロジェクタの回路構成を示すブロック図である。
【図３】パソコンデータテーブルを示す概念図である。
【図４】パソコンの回路構成を示すブロック図である。
【図５】講演者のパソコンの動作を示すフローチャートである。
【図６】受講者のパソコンの動作を示すフローチャートである。
【図７】プロジェクタの動作を示すフローチャートである。
【発明を実施するための形態】
【００２１】
以下、本発明の一実施の形態を図に従って説明する。図１は、本発明の一実施の形態に係るプレゼンテーションシステムの構成を示すブロック図である。このプレゼンテーションシステムは、プレゼンテーション会場内に配置された表示装置としてのプロジェクタ１と、このプロジェクタ１に無線接続される端末装置としての複数のパソコン５（５−１、５−２、５−３・・・）で構成されている。プロジェクタ１は、複数のパソコン５のいずれか一つのパソコンであって、その時点における講演者（プレゼンタ）のパソコンにより制御される。また、当該時点における講演者を除く他のパソコン５のユーザは受講者であり、プロジェクタ１は、これら受講者のパソコン５からのコマンドに基づき、前記講演者のパソコンを介して制御される。
【００２２】
図２は、前記プロジェクタ１の回路構成を示すブロック図である。このプロジェクタ１は、制御部１１、入出力インターフェイス１２、画像変換部１３、表示エンコーダ１４、表示駆動部１５等を有するものであって、入出力コネクタ部１６から入力された各種規格の画像信号は、入出力インターフェイス１２、システムバス１７を介して、画像変換部１３で表示に適した所定フォーマットの画像信号に統一するように変換された後、表示エンコーダ１４に送られる。
【００２３】
表示エンコーダ１４は、送られてきた画像信号をビデオＲＡＭ１８に展開記憶させた上で、このビデオＲＡＭ１８の記憶内容からビデオ信号を生成して表示駆動部１５に出力するものである。
【００２４】
表示エンコーダ１４からビデオ信号が入力される表示駆動部１５は、送られてきた画像信号に対応して適宜フレームレートで空間的光変調素子（ＳＯＭ）である表示素子１９を駆動する。そして、光源装置２０から射出された光線束を光源側光学系を介して表示素子１９に入射することにより、表示素子１９の反射光で光像を形成し、投影側光学系とする可動レンズ群２１を介して図示しないスクリーンに画像を投影表示する。この投影側光学系の可動レンズ群２１は、レンズモータ２２によりズーム調整やフォーカス調整のための駆動が行われる。
【００２５】
画像圧縮／伸張部２３は、画像信号における輝度信号及び色差信号をＡＤＴＣ及びハフマン符号化等の処理により、データ圧縮して着脱自在な記録媒体であるメモリカード２４に書き込む記録処理や、メモリカード２４に記録された画像データを読み出し、一連の動画を構成する個々の画像データを１フレーム単位で伸張して画像変換部１３を介して表示エンコーダ１４に送り、メモリカード２４に記憶された画像データに基づいて動画等の表示を可能にするものである。
【００２６】
制御部１１は、プロジェクタ１内における各回路の動作を制御するものであって、ＣＰＵ及びその周辺回路、ＲＯＭ１１１、ＲＡＭ１１２等で構成されている。ＲＯＭ１１１には、ＣＰＵや各種セッティング等のプログラム、全てのパソコン５と通信を行うための通信制御ソフト、後述するフローチャートにより示すプログラムやデータ等が予め記憶されており、ＲＡＭ１１２は、ワークメモリ等として使用される。
【００２７】
キー／インジケータ部２５は、本体ケース等に設けられているメインキー及びインジケータ等により構成され、その操作信号は制御部１１に送出される。また、リモートコントローラからのキー操作信号は、Ｉｒ受信部２６で受信され、Ｉｒ処理部２７で復調されてコード信号が制御部１１に送られる。
【００２８】
また、前記パソコン５からの無線信号は無線通信部２８で受信され、無線通信処理部２９で復調されて制御部１１に送られる。また、パソコン５への無線信号は、制御部１１から無線通信処理部２９に送られて変調された後、無線通信部２８から送信される。
【００２９】
なお、制御部１１には、システムバス１７を介して音声処理部３０が接続されており、音声処理部３０はＰＣＭ音源等の音源回路を備え、投影モード及び再生モード時には、音声データをアナログ化し、スピーカ３１を駆動して拡声放音させることができる。
【００３０】
また、制御部１１は、光源制御回路３２を制御することにより、画像信号に応じて赤色光源、緑色光源、青色光源を時分割制御している。さらに、冷却ファン駆動制御回路３３には、光源装置２０等に設けられた複数のセンサによる温度検出を行わせて、冷却ファンの回転速度を制御させ、タイマー等によりプロジェクタ本体の電源オフ後も冷却ファンの回転を持続させ、温度センサによる温度検出の結果によっては、プロジェクタ本体の電源をオフにする制御も行う。
【００３１】
前記ＲＡＭ１１２には、図３に示すパソコンデータテーブルＴが格納されている。このパソコンデータテーブルＴには、前記各パソコン５−１、５−２、５−３・・・毎に、予め設定された固有識別符号であるパソコンＩＤとユーザ名とが記憶されているとともに、プレゼンタ登録フラグＰＦが記憶される。このプレゼンタ登録フラグＰＦは、「ＯＮ」により、複数のパソコン５のうちのいずれか１台のみが、その時点における講演者（プレゼンタ）のパソコンであることを示すフラグである。
【００３２】
図４は、前記パソコン５の構成を示すブロック図である。図示のように、このパソコン５は、バス５１を介して互いに接続された制御部５２、ＨＤＤ（Hard Disk）５３、ＲＡＭ（Random Access Memory）５４、サウンド処理部５５、グラフィック処理部５６、ＤＶＤ／ＣＤ−ＲＯＭドライブ５７、無線通信処理部５８、及びインターフェイス部５９を備えている。
【００３３】
制御部５２は、ＣＰＵ（Central Processing Unit）、ＲＯＭ（Read Only Memory）等で構成され、ＲＯＭに記憶されているブートプログラムやＯＳ（Operating System）等の基本プログラムに基づき、ＲＡＭ５４に記憶されたプログラムを順次実行して、各種処理等を行うとともに、パソコン５本体内の各部の動作を制御する。ＨＤＤ５３には、プロジェクタ１と無線通信を行うための通信ソフトが予め記憶されているとともに、無線通信処理部５８を介して外部から取り込んだ画像データ等が記憶される。
【００３４】
ＲＡＭ５４は、メインメモリとして使用されるもので、ＤＶＤ／ＣＤ−ＲＯＭから転送された、プログラムやデータを記憶する。ＲＡＭ５４は、また、プログラム実行時におけるワークエリアとしても使用される。サウンド処理部５５は、制御部５２からの指示に従って、サウンドデータを再生するための処理を行い、音声信号として出力するとともに、この音声信号を再生するスピーカを含む。
【００３５】
グラフィック処理部５６は、制御部５２からの指示に従って各種画像データを生成し、また、生成した画像データに所定の同期信号を付加して、ビデオ信号として表示部６１に出力する。ＤＶＤ／ＣＤ−ＲＯＭドライブ５７は、制御部５２からの指示に従って、パソコン５にセットされたＤＶＤ／ＣＤ−ＲＯＭを駆動し、ＤＶＤ／ＣＤ−ＲＯＭに格納されているプログラムやデータを、バス５１を介してＲＡＭ５４に転送する。
【００３６】
無線通信処理部５８には、無線通信部６４が接続されている。そして、前記プロジェクタ１からの無線信号は無線通信部６４で受信され、無線通信処理部５８で復調されて制御部５２に送られる。また、パソコン５への無線信号は、制御部５２から無線通信処理部５８に送られて変調された後、無線通信部６４からプロジェクタ１に送信される。
【００３７】
なお、前記ＲＡＭ５４には、当該パソコン５に設定されて、前記プロジェクタ１のＲＡＭ１１２に記憶されているパソコンデータテーブルＴ内のパソコンＩＤと同一のパソコンＩＤが記憶されている。
【００３８】
インターフェイス部５９には、キーボード６２とマウス６３とが接続される。このインターフェイス部５９では、キーボード６２及びマウス６３と制御部５２やＲＡＭ５４との間のデータの授受を制御する。ＨＤＤ５３は、各種プログラムやアプリケーション、各種データを格納している。表示部６１は、グラフィック処理部５６からのビデオ信号に対応する画像を表示する液晶パネル等からなる表示画面を備えている。
【００３９】
以上の構成に係る本実施の形態において、講演者（プレゼンタ）のパソコン５、例えばパソコン５−１は、図５のフローチャートに示すようにプログラムに従って動作する。すなわち、パソコン５−１は、前記通信ソフトに基づき動作して、プロジェクタ１に無線接続する（ステップＳＡ１）。引き続き、後述するアプリケーションにより生成されている投影データと、自機のＩＤデータとをプロジェクタ１に送信する（ステップＳＡ２）。
【００４０】
次に、後述するようにプロジェクタ１から送信される、他の受講者のパソコン５−２・・・からのキーコマンドを受信したか否かを判断し（ステップＳＡ３）、受信しない場合には、ステップＳＡ２に戻る。したがって、プロジェクタ１から送信される他のパソコン５−２・・・のキーコマンドを受信しない通常の状態においては、ステップＳＡ２の投影データ送信処理が繰り返し実行されて、プロジェクタ１にて投影される。よって、講演者が自己のパソコン５−１を操作し、適宜投影データの切り替え等を行いつつ説明を行うことにより、プレゼンテーションが進行することとなる。
【００４１】
このようにプレゼンテーションが進行している状態において、プロジェクタ１から送信される他のパソコン５−２・・・のキーコマンドを受信するとステップＳＡ３の判断がＹＥＳとなる。したがって、ステップＳＡ３からステップＳＡ４に進み、前記投影データを生成しているアプリケーション、つまり現在投影に用いているアプリケーションに、ステップＳＡ３で受信したキーコマンドに対応するキーイベントを発行する。
【００４２】
さらに、プロジェクタ１との無線接続を切断する操作がなされたか否かを判断し（ステップＳＡ５）、切断操作がなされるまでステップＳＡ２からの動作を繰り返す。ここで、前記ステップＳＡ３で受信されるキーコマンド、及びこれに対応してステップＳＡ４で発行するキーイベントとは、例えば下記事項を示す。
（１）投影されている画像をスクロールする。
（２）投影されている画像中に単一のカーソルを表示するとともに、表示されているカーソルを移動する。
（３）投影されている画像中に、キー入力された文字を表示する。
【００４３】
したがって、ステップＳＡ４でいずれか（１）（２）（３）のキーイベントが発行されると、現在投影データの生成に用いているアプリケーション上で前記キーイベントが実行され、このキーイベントが実行された投影データがステップＳＡ２で送信されることとなる。つまり、キーイベント（１）が発行された場合には、現在投影されている画像をスクロールして次の画像を表示する投影データが送信され、キーイベント（２）が発行された場合には、現在投影されている画像中に表示されているカーソルを移動する投影データが送信される。また、キーイベント（３）が発行された場合には、現在投影されている画像中に、キー入力された文字を加入した投影データが送信されることとなる。
【００４４】
なお、このようにキーイベント（１）（２）（３）に対応する投影データを送信するに際しては、当該キーイベント（１）（２）（３）に対応するキーコマンドを送信した送信者の氏名である前記ユーザ名を投影データ中に含ませるようにしてもよい。これより、投影画像の一部に例えば「○○  ○○が操作中」等のキーコマンドを送信した受講者の氏名を表示することができる。
【００４５】
一方、受講者のパソコン５、すなわちパソコン５−２・・・は、図６のフローチャートに示すようにプログラムに従って動作する。すなわち、パソコン５−２・・・は、前記通信ソフトに基づき動作して、プロジェクタ１に無線接続する（ステップＳＢ１）。引き続き、前記キーコマンド（１）（２）（３）のいずれかを発生させる操作、つまり投影されている画像をスクロールさせるキー操作（１）、投影されている画像中に表示されているカーソルを移動させるキー操作（２）、投影されている画像中に、入力された文字を表示するキー操作（３）のいずれかがなされたか否かを判断する（ステップＳＢ２）。
【００４６】
そして、いずれかのキーコマンド（１）（２）（３）に対応する操作がなされた場合には、当該キーコマンド（（１）（２）（３）のいずれか）と、自機のＩＤデータとをプロジェクタ１に送信する（ステップＳＢ３）。さらに、プロジェクタ１との無線接続を切断する操作がなされたか否かを判断し（ステップＳＢ４）、切断操作がなされるまでステップＳＢ２からの動作を繰り返す。
【００４７】
他方、プロジェクタ１は、図７のフローチャートに示すようにプログラムに従って動作する。すなわち、プロジェクタ１は、前記通信制御ソフトに基づき動作して、このプレゼンテーションシステムに属する全てのパソコン５（５−１、５−２、５−３・・・）に各々無線接続する（ステップＳＣ１）。引き続き、投影データとＩＤデータとを受信したか否かを判断する（ステップＳＣ２）。投影データとＩＤデータとを受信したならば、パソコンデータテーブルＴのプレゼンタ登録フラグＰＦが全てＯＦＦとなっているか、つまりプレゼンタが決定されていないか、又はプレゼンタ登録フラグＰＦがＯＮとなっているＩＤデータとステップＳＳＣ２で受信したＩＤデータとが一致するか否か、つまりプレゼンタが変更になったか否かを判断する（ステップＳＣ３）。
【００４８】
そして、ステップＳＣ３の判断がＹＥＳであって、パソコンデータテーブルＴのプレゼンタ登録フラグＰＦが全てＯＦＦとなっており、未だプレゼンタが決定されていない場合には、パソコンデータテーブルＴにおいて、前記ステップＳＣ２で受信したＩＤデータに対応するプレゼンタ登録フラグＰＦをＯＮにする（ステップＳＣ４）。
【００４９】
また、同様にステップＳＣ３の判断がＹＥＳであって、プレゼンタ登録フラグＰＦがＯＮとなっているＩＤデータとステップＳＳＣ２で受信したＩＤとが一致せず、プレゼンタが変更になった場合にも、パソコンデータテーブルＴにおいて、前記ステップＳＣ２で受信したＩＤに対応するプレゼンタ登録フラグＰＦをＯＮにする（ステップＳＣ４）。無論、それまでＯＮとなっていたＩＤデータに対応するプレゼンタ登録フラグＰＦはＯＦＦにする。
【００５０】
したがって、パソコンデータテーブルＴのプレゼンタ登録フラグＰＦが全てＯＦＦとなっている状態で、ステップＳＣ２でパソコン５−１のＩＤデータ「ＡＡＡ」が受信された場合、あるいは、パソコンデータテーブルＴにおいてＩＤが「ＢＢＢ」であるパソコン５−２のプレゼンタ登録フラグＰＦがＯＮとなっている状態で、ステップＳＣ２でパソコン５−１のＩＤデータ「ＡＡＡ」が受信された場合には、図３に示したように、パソコン５−１に対応するプレゼンタ登録フラグＰＦのみがＯＮにされることとなる。
【００５１】
つまり、プレゼンテーションの途中においてプレゼンタ登録フラグＰＦがＯＮであるパソコン５が変化することにより、プレゼンテーションの途中において講演者（プレゼンタ）が変更されることとなる。したがって、講演者を適宜変更しつつプレゼンテーションを進行することができる。
【００５２】
しかる後に、ステップＳＣ２で受信した投影データを出力して投影を実行する（ステップＳＣ５）。このとき、プロジェクタ１はパソコンデータテーブルＴのプレゼンタ登録フラグＰＦとユーザ名とを参照することにより、いずれの参加者が現時点の講演者であるかをユーザ名により識別することができる。したがって、この識別したユーザ名である講演者名をステップＳＣ５での投影時に画像の一部に表示させることができ、現時点の講演者を明らかにすることができる。また、ユーザ名から自分が講演者であることを認識することができることから、遅滞なく説明が行われることとなり、円滑にプレゼンテーションを進行させることができる。
【００５３】
なお、ステップＳＣ３の判断がＮＯである場合とは、パソコンデータテーブルＴにおいていずれかのＩＤデータに対応するプレゼンタ登録フラグＰＦをＯＮであり、かつ、プレゼンタ登録フラグＰＦがＯＮとなっているＩＤデータとステップＳＣ２で受信したＩＤデータとが一致した場合である。この場合は、既にプレゼンタとして登録されたパソコン５から受信した投影データを出力して投影を実行することになる（ステップＳＣ５）。
【００５４】
次に、前述のようにＩＤデータとともに送信されるキーコマンドを受信したか否かを判断する（ステップＳＣ６）。キーコマンドを受信しない場合には、各パソコン５との無線接続を切断する操作がなされたか否かを判断し（ステップＳＣ９）、切断操作がなされるまでステップＳＣ２からの動作を繰り返す。
【００５５】
したがって、前述のように、プロジェクタ１が他のパソコン５−２・・・のキーコマンドを受信しない通常の状態においては、講演者が自己のパソコン５−１を操作し、適宜投影データの切り替え等を行いつつ説明を行うと、講演者の意思に従ってプロジェクタ１の投影画像が変化する。よって、この状態においては、プレゼンテーションは講演者主導の形態で進行することとなる。
【００５６】
しかし、前述のように、図６のフローチャートにおけるステップＳＢ３で、パソコン５−２・・・から、キーコマンド（（１）（２）（３）のいずれか）と、自機のＩＤデータとが送信されると、プロジェクタ１がこれを受信することより、ステップＳＣ６の判断がＹＥＳとなる。したがって、ステップＳＣ６からステップＳＣ７に進み、ステップＳＣ６でキーコマンドとともに受信したＩＤデータが、パソコンデータテーブルＴにおいてプレゼンタ登録フラグＰＦがＯＦＦとなっているいずれかのパソコンのＩＤデータと一致するか否かを判断する（ステップＳＣ７）。
【００５７】
このステップＳＣ７での判断の結果、受信したＩＤデータが、パソコンデータテーブルＴにおいてプレゼンタ登録フラグＰＦがＯＦＦとなっているいずれかのパソコンのＩＤデータと一致すれば、キーコマンドは部外者のパソコンから送信されたものではなく、このプレゼンテーションに参加している受講者のパソコン５−２・・・から送信されたものであることが明らかとなる。したがって、この場合には、パソコンデータテーブルＴにおいてプレゼンタ登録フラグＰＦがＯＮとなっているパソコン５−１に、前記ステップＳＣ６で受信したキーコマンド（（１）（２）（３）のいずれか）を送信する（ステップＳＣ８）。
【００５８】
すると、プレゼンタ登録フラグＰＦがＯＮとなっている講演者のパソコン５−１においては、前述のように、プロジェクタ１から送信されるキーコマンドを受信することにより、図５のフローチャートにおけるステップＳＡ３をＹＥＳと判断する。したがって、ステップＳＡ３からステップＳＡ４に進み、前記投影データを生成しているアプリケーション、つまり現在投影に用いているアプリケーションに、ステップＳＡ３で受信したキーコマンドに対応するキーイベントを発行する。そして、ステップＳＡ４でいずれか（１）（２）（３）のキーイベントが発行されると、現在投影データの生成に用いているアプリケーション上で前記キーイベントが実行され、このキーイベントが実行された投影データがステップＳＡ２で送信されることなる。
【００５９】
つまり、前述のように、キーイベント（１）が発行された場合には、現在投影されている画像をスクロールして次の画像を表示する投影データが送信され、キーイベント（２）が発行された場合には、現在投影されている画像中に表示されているカーソルを移動する投影データが送信される。また、キーイベント（３）が発行された場合には、現在投影されている画像中に、キー入力された文字を加入した投影データが送信されることとなる。すると、プロジェクタ１は図７のフローチャートにおけるステップＳＣ２で講演者のパソコン５−１から送信された投影データを受信し、この受信した投影データをステップＳＣ５で出力して投影する。
【００６０】
つまり、受講者のパソコン５−２・・・のいずれかが、キーコマンド（１）操作を行った場合には（図６のＳＢ２；ＹＥＳ）、講演者のパソコン５−１から、現在投影されている画像をスクロールして次の画像を表示する投影データが送信され（図５のＳＡ４→ＳＡ５→ＳＡ２）、プロジェクタ１はこの投影データを受信して（図７のＳＣ３）、投影する（図７のＳＣ５）。したがって、各受講者はパソコン５−２・・・を操作することより、プロジェクタ１により投影されている画像を自在にスクロールさせることができる。よって、投影画像をスクロールする点において、受講者もプレゼンテーションに関与することのできる受講者参加型のプレゼンテーションを実現することができる。
【００６１】
また、受講者のパソコン５−２・・・のいずれかが、キーコマンド（２）操作を行った場合には（図６のＳＢ２；ＹＥＳ）、講演者のパソコン５−１から、現在投影されている画像中に表示されているカーソルを移動する投影データが送信され（図５のＳＡ４→ＳＡ５→ＳＡ２）、プロジェクタ１はこの投影データを受信して（図７のＳＣ３）、投影する（図７のＳＣ５）。したがって、各受講者はパソコン５−２・・・を操作することより、プロジェクタ１により投影されている画像中に表示されている単一のカーソルを自由に移動させることができる。よって、投影画像中に表示されているカーソルを自由に移動させる点において、受講者もプレゼンテーションに関与することのできる受講者参加型のプレゼンテーションを実現することができる。
【００６２】
しかも、前述した従来技術のように、複数のカーソルを各受講者による端末での操作に応じて、自在に移動表示させるのではなく、単一のカーソルを自由移動させるのであるから、プレゼンテーションに用いている投影画像の秩序が乱されてしまうこともない。したがって、表示画像の秩序が乱されることに起因してプレゼンテーションの円滑な進行が妨げられてしまうことがなく、プレゼンテーションの円滑な進行が妨げることなく、受講者もプレゼンテーションに参加することができるシステムを構築することができる。
【００６３】
また、受講者のパソコン５−２・・・のいずれかが、キーコマンド（３）操作を行った場合には（図６のＳＢ２；ＹＥＳ）、講演者のパソコン５−１から、現在投影されている画像中にキー入力された文字を加入した投影データが送信され（図５のＳＡ４→ＳＡ５→ＳＡ２）、プロジェクタ１はこの投影データを受信して（図７のＳＣ３）、投影する（図７のＳＣ５）。したがって、受講者は各パソコン５−２・・・を操作することより、プロジェクタ１により投影されている画像中にキー入力された文字を自由に加入することができる。よって、投影画像中に文字を自由に加入することができる点において、受講者もプレゼンテーションに関与することのできる受講者参加型のプレゼンテーションを実現することができる。
【００６４】
なお、前述のように、キーイベント（１）（２）（３）に対応するキーコマンドを送信した送信者の氏名であるユーザ名を投影データ中に含ませるようにすれば、図７のステップＳＣ５での投影により、投影画像の一部に例えば「○○  ○○が操作中」等のキーコマンドを送信した受講者の氏名を表示することができる。したがって、キーコマンド操作を行った受講者に説明を求める等が可能となり、これにより、プレゼンテーションのより円滑な進行が可能となる。
【００６５】
また、本実施の形態においては、受講者のパソコン５−２・・・からのキーコマンドを講演者のパソコン５−１に直接送信するのではなく、プロジェクタ１を介して講演者のパソコン５−１に送信するようにした。したがって、複数のパソコン５はプロジェクタ１及び他のパソコン５との通信機能（通信ソフト）を要することなく、プロジェクタ１との通信機能（プロジェクタ通信ソフト）のみを具備すればよいこととなる。よって、低コストでシステムを実現できるというメリットを得ることができる。無論、このように、受講者のパソコン５−２・・・からのキーコマンドを、プロジェクタ１を介して講演者のパソコン５−１に送信することなく、直接パソコン５−１に送信するようにしてもよい。
【００６６】
また、本実施の形態においては、表示装置としてプロジェクタ１を用いた場合を示したが、これに限ることなく、液晶ディスプレイ、プラズマディスプレイ、電界放出ディスプレイ等の他の表示手段を用いた装置を表示装置として用いるようにしてもよい。
【００６７】
また、本実施の形態においては、プロジェクタ１と各パソコン５とが無線通信によって接続されていることとしたが、プロジェクタ１と各パソコン５とが有線（例えば、ＬＡＮケーブル等）によって接続されているものとしてもよい。この場合、プロジェクタ１において入出力コネクタ部１６を複数設けるか、プロジェクタ１と各パソコン５とを有線でつなぐ中継機器を設けるかする必要があり、本システムを実施する上での必要構成要件が増えることになるが、有線接続であればパソコン５を識別する必要がなく、プロジェクタ１の処理を軽減することができる。
【００６８】
また、本実施の形態においては、プレゼンテーションに参加している受講者のパソコン５−２・・・から送信されるキーコマンドに対応するキーイベントは、投影画像のスクロール、投影画像中に表示されるカーソル移動及び投影画像中に入力された文字を表示することとしたが、これに限らず、投影画像のページ移動や、投影画像の拡大縮小、線や図形の描画などの操作を行うことができることとしてもよい。いずれにしても本来ならば投影画像の表示状態を制御している講演者のパソコン５−１においてのみ操作可能である様々な操作を受講者のパソコン５−２からの指示に基づいて操作可能にすることができる。
【００６９】
また、上述の本実施の形態においては、受講者の端末装置から送信されるキーコマンドの優先順位については特に限定していないが、例えば、最初にキーコマンドの送信を行った端末装置が、その後所定時間を経過するまでキーコマンド送信操作を行わなければ他の端末装置からのキーコマンドの受付を許可し、一方所定時間以内にキーコマンド送信操作が行われたら、未だキーコマンド送信操作を制御中であるものとして、他の端末装置からのキーコマンドの受付を拒否する構成としてもよい。また、講演者の端末装置から送信されるキーコマンドについては、常に最優先される構成としてもよい。
【符号の説明】
【００７０】
１    プロジェクタ
５    パソコン
１１    制御部
１２    入出力インターフェイス
１３    画像変換部
１４    表示エンコーダ
１５    表示駆動部
１６    入出力コネクタ部
１７    システムバス
１８    ビデオＲＡＭ
１９    表示素子
２０    光源装置
２８    無線通信部
２９    無線通信処理部
５１    バス
５２    制御部
５３    ＨＤＤ
５４    ＲＡＭ
５８    無線通信処理部
５９    インターフェイス部
６１    表示部
６２    キーボード
６３    マウス
６４    無線通信部
１１１    ＲＯＭ
１１２    ＲＡＭ
Ｔ    パソコンデータテーブル
【図１】
2010271431.tif 000003
【図２】
2010271431.tif 000004
【図３】
2010271431.tif 000005
【図４】
2010271431.tif 000006
【図５】
2010271431.tif 000007
【図６】
2010271431.tif 000008
【図７】
2010271431.tif 000009